(57)【要約】【課題】製造コストの上昇を抑えて防音効果を実現することを可能とした電子機器を提供する。【解決手段】デジタルカメラは、外装ケースを有するカメラ本体部１、カメラ本体部１に開閉機構を介して開閉が可能な表示部２、表示部２を収納する収納部３、基板接続コネクタ５ａ、基板６ａを備える。収納部３は、表示部２における開閉機構側の端部とは反対側の開閉側端部を受ける表示部受け部４を有する。収納部３の表示部受け部４が配設されている位置の外装ケースの内部に基板接続コネクタ５ａ、基板６ａを配置し、外装ケースと基板６ａとの間に防音部材７ａを基板６ａに対して接触させた状態で配置する。【選択図】図２
2011039099.tif 000002
【特許請求の範囲】
【請求項１】
外装ケースを有する機器本体部と、
開閉機構を介して前記機器本体部に対して開閉が可能な開閉部材と、
前記外装ケースの外側に設けられ、前記開閉部材を収納すると共に前記開閉部材における前記開閉機構側の端部とは反対側の開閉側端部を受ける開閉部材受け部を有する収納部と、
前記機器本体部の内部に設けられ、基板接続コネクタに嵌合された基板と、を備え、
前記収納部の前記開閉部材受け部が配設されている位置の前記外装ケースの内部に前記基板接続コネクタおよび前記基板を配置し、前記外装ケースと前記基板との間に防音部材を前記基板に対して接触させた状態で配置したことを特徴とする電子機器。
【請求項２】
前記開閉部材受け部に緩衝材を配置したことを特徴とする請求項１に記載の電子機器。
【請求項３】
前記外装ケースの前記開閉部材受け部が配設される位置に穴部を備え、
前記穴部から前記防音部材と一体化された緩衝材が露出したしたことを特徴とする請求項１に記載の電子機器。
【請求項４】
前記機器本体部の内部に設けられる板金部材を備え、
前記外装ケースと前記板金部材との間に前記防音部材を挟み込むことにより前記防音部材を保持することを特徴とする請求項１乃至３のいずれか１項に記載の電子機器。
【発明の詳細な説明】
【技術分野】
【０００１】
本発明は、機器本体部に対して開閉可能な開閉部材を有する電子機器に関する。
【背景技術】
【０００２】
従来、機器本体部に対して開閉可能な表示部を有する撮像装置（デジタルスチルカメラやビデオカメラ）等の電子機器がある。この種の電子機器には、表示部をヒンジ部等の機構を介して機器本体部に対して開閉可能（或いは開閉及び回転可能）とすることで、表示部を機器本体部に対して様々な方向へ向けることを可能としたものがある。例えば、撮像装置では、撮影者は表示部により撮影対象を確認しながら様々な角度での撮影を容易に行うことが可能となっている。
【０００３】
撮像装置による撮影終了後、撮影者が表示部を開いた状態から閉じて機器本体部の背面部に設けられた収納部に収納する場合、表示部が収納部の受け部に当たる際に音が発生する。特に、機器本体部の収納部の裏側に空間があると、表示部を閉じた際の衝撃で音が大きく聞こえてしまう。そこで、機器本体部の収納部の裏側の空間を、例えば、ゴムのような防音部材で埋めると共に該収納部を防音部材で受けることにより、振動を抑えて音をより小さくする方法が考えられる。
【０００４】
上記技術分野の関連技術としては以下のような技術が提案されている（例えば、特許文献１参照）。特許文献１には、配線を支持する本体部と、前記本体部の少なくとも第１の面に取付けられ、振動により前記本体部から発せられる音を吸収するための防音部材とを備えるコネクタについて記載されている。
【先行技術文献】
【特許文献】
【０００５】
【特許文献１】特開２００６−２６０８３２号公報
【発明の概要】
【発明が解決しようとする課題】
【０００６】
上記従来例のように、電子機器の機器本体部の収納部の裏側の空間を防音部材で埋め、該収納部を防音部材で受けることで振動を抑えて音をより小さくすることは可能である。しかしながら、電子機器に防音部材という防音用途のみの部材を新規に設ける必要があるため、製造工数が増加すると共に製造コストが上昇するという問題がある。
【０００７】
本発明の目的は、製造コストの上昇を抑えて防音効果を実現することを可能とした電子機器を提供することにある。
【課題を解決するための手段】
【０００８】
上記目的を達成するために、本発明は、外装ケースを有する機器本体部と、前記外装ケースの外側に設けられ、開閉部材端部の側に配設された開閉機構を介して前記機器本体部に対して開閉が可能な開閉部材と、前記外装ケースの外側に設けられ、前記開閉部材を収納すると共に前記開閉部材における前記開閉部材端部とは反対側の開閉側端部を受ける開閉部材受け部を有する収納部と、前記機器本体部に設けられ、基板接続コネクタに嵌合された基板と、を備え、前記収納部の前記開閉部材受け部が配設されている前記外装ケースの裏側に、防音部材を前記基板に対して接触させた状態に配置したことを特徴とする。
【発明の効果】
【０００９】
本発明によれば、製造コストの上昇を抑えて防音効果を実現することができる。
【図面の簡単な説明】
【００１０】
【図１】本発明の第１の実施の形態に係る撮像装置としてのデジタルカメラの背面側の構成を示す斜視図である。
【図２】デジタルカメラの表示部を外装ケースの収納部に収納した状態における表示部受け部を含む部分の図１の矢視Ａ−Ａ線に沿う断面図である。
【図３】本発明の第２の実施の形態に係る撮像装置としてのデジタルカメラの表示部を外装ケースの収納部に収納した状態における表示部受け部を含む部分の断面図である。
【図４】本発明の第３の実施の形態に係る撮像装置としてのデジタルカメラの表示部を外装ケースの収納部に収納した状態における表示部受け部を含む部分の断面図である。
【図５】本発明の第４の実施の形態に係る撮像装置としてのデジタルカメラの断面図であり、（ａ）は、表示部を外装ケースの収納部に収納した状態における表示部受け部を含む部分の断面図、（ｂ）は、基板の周辺の詳細を示す断面図である。
【発明を実施するための形態】
【００１１】
以下、本発明の実施の形態を図面に基づいて説明する。
【００１２】
〔第１の実施の形態〕
図１は、本発明の第１の実施の形態に係る撮像装置としてのデジタルカメラの背面側の構成を示す斜視図である。
【００１３】
図１において、本実施の形態の撮像装置は、デジタルカメラとして構成されており、外装ケースを有するカメラ本体部１（機器本体部）と、カメラ本体部１に対して開閉が可能な表示部２（開閉部材）を備えている。表示部２は、カメラ本体部１の外装ケースの外側の背面側に設けられており開閉機構１１を介してカメラ本体部１に対して開閉が可能に構成されている。表示部２は、撮影対象となる被写体のライブ画像の表示や、カメラ本体部１の内部の記録媒体或いは外部の記録媒体に記録された画像の再生表示が可能である。
【００１４】
カメラ本体部１の外装ケースの外側の背面側には、カメラ本体部１に対して閉じた状態の表示部２を収納するための収納部３が設けられている。収納部３は、カメラ本体部１に対して閉じた状態の表示部２の収納が可能な形状に構成されており、長手方向の一方の端部に表示部受け部４（開閉部材受け部）が設けられている。表示部受け部４は、収納部３に収納される表示部２の長手方向の一方の端部（表示部２における開閉機構側の端部とは反対側の開閉側端部）を受ける部分であり、開閉機構１１から収納部３の長手方向における最も離れた一辺側に位置している。
【００１５】
尚、本実施の形態では、表示部２を開閉機構１１によりカメラ本体部１に対して開閉が可能に構成しているが、これに限定されるものではない。表示部２を開閉機構１１によりカメラ本体部１に対して開閉が可能に構成すると共に回転機構によりカメラ本体部１に対して回転が可能に構成してもよい。開閉機構１１の具体例としてはヒンジ、回転機構の具体例としては回転軸がある。
【００１６】
撮影者は表示部２をカメラ本体部１に対して閉じて収納部３に収納した状態、カメラ本体部１に対して開いた状態のうち所望の状態とすることが可能である。これにより、撮影者は表示部２をカメラ本体部１の撮影方向とは違う向きで見ることができるため、様々な角度での撮影を容易に行うことが可能となっている。
【００１７】
図２は、デジタルカメラの表示部を外装ケースの収納部に収納した状態における表示部受け部を含む部分の図１の矢視Ａ−Ａ線に沿う断面図である。
【００１８】
図２において、デジタルカメラは、表示部２、収納部３、表示部受け部４（図１参照）、外装ケース受け部４ａ、４ｂ、基板接続コネクタ５ａ、基板接続コネクタ５ｂ、基板６ａ、基板６ｂ、防音部材７ａ、主基板１０を備えている。防音部材７ａは、外装ケースの裏側（内部側）に配置されている。基板接続コネクタ５ａ、基板接続コネクタ５ｂ、基板６ａ、基板６ｂ、主基板１０は、外装ケースの内部のカメラ本体部１に配置されていて、基板接続コネクタ５ａ、基板６ａは、表示部受け部４が配設されている位置の外装ケースの内部に配置されている。
【００１９】
撮影者により表示部２が外装ケースの収納部３に収納される際に表示部２を受ける表示部受け部４（図１参照）には、凸形状の外装ケース受け部４ａ、４ｂが設けられている。表示部２を外装ケースの収納部３に収納する際、表示部受け部４の外装ケース受け部４ａ、４ｂにて表示部２を受ける。外装ケース受け部４ａ、４ｂを凸形状とすることで、外装ケースの収納部３に収納される表示部２を確実に外装ケース受け部４ａ、４ｂで受けることが可能となっている。
【００２０】
尚、本実施の形態では、外装ケース受け部４ａ、４ｂを凸形状に形成しているが、これに限定されるものではない。表示部２側に凸形状を形成してもよい。
【００２１】
外装ケースの内部には、基板接続コネクタ５ａ、基板接続コネクタ５ｂ、基板６ａ、基板６ｂが配置されている。基板接続コネクタ５ａ、５ｂは、それぞれ、基板６ａ、６ｂと嵌合される。また、基板接続コネクタ５ａ、５ｂにおける基板嵌合側の反対側には、基部に所定の保持機構（不図示）により保持された主基板１０が配置されている。また、外装ケース受け部４ａの裏側には、防音部材７ａが配置されている。
【００２２】
防音部材７ａは、弾性材料から構成されており、防音部材７ａにおけるケース受け部側の反対側が基板６ａ、基板６ｂと接触している。即ち、防音部材７ａは、外装ケースと基板６ａ、基板６ｂとの間に配置されている。これにより、表示部２を外装ケースの収納部３に収納する際の収納部３に対する衝撃を防音部材７ａにより吸収する。これと共に、カメラ本体部１の内部機構が衝撃を受けた際に、基板接続コネクタ５ａ、５ｂから基板６ａ、６ｂが抜けることを防止している。これにより、基板６ａ、６ｂの抜け防止を実現しながら、防音効果を実現することができる。
【００２３】
以上詳細に説明したように、本実施の形態によれば以下の効果を奏する。表示部２における開閉機構取付側の端部とは反対側の開閉側端部を受ける収納部３の表示部受け部４が配設されている外装ケースの裏側に、基板接続コネクタ５ａ、５ｂに嵌合した基板６ａ、６ｂに防音部材７ａを接触させて配置する。本構成により、防音部材７ａが、防音のための部材と、基板接続コネクタ５ａ、５ｂからの基板６ａ、６ｂの抜けを防止する部材とを兼ねることを可能としている。これにより、防音用途のみの部材を設けることなく可能な限り少ない部品にて防音効果を実現することができる。
【００２４】
〔第２の実施の形態〕
本発明の第２の実施の形態は、上記第１の実施の形態に対して、図３で説明する点において相違する。本実施の形態のその他の要素は、上記第１の実施の形態（図１）の対応するものと同一なので説明を省略する。
【００２５】
図３は、本発明の第２の実施の形態に係る撮像装置としてのデジタルカメラの表示部を外装ケースの収納部に収納した状態における表示部受け部を含む部分の断面図である。
【００２６】
図３において、デジタルカメラは、表示部２、収納部３、表示部受け部４（図１参照）、基板接続コネクタ５ａ、基板接続コネクタ５ｂ、基板６ａ、基板６ｂ、防音部材７ａ、緩衝材８ａ、緩衝材８ｂ、主基板１０を備えている。
【００２７】
撮影者により表示部２が外装ケースの収納部３に収納される際に表示部２を受ける表示部受け部４（図１参照）の裏側には、防音部材７ａが配置されている。防音部材７ａは、弾性材料から構成されており、防音部材７ａにおけるケース受け部側の反対側が基板６ａ、基板６ｂと接触している。
【００２８】
また、表示部受け部４には、緩衝材８ａ、緩衝材８ｂが設けられている。緩衝材８ａ、緩衝材８ｂは、弾性材料から構成されており、表示部受け部４に両面テープ等により貼り付けられている。これにより、表示部２が外装ケースの収納部３に収納される際に、表示部２が収納部３に直接当たることを防止すると共に表示部２が収納部３に当たる際の衝撃を緩衝することで、収納時に発生する音をより小さくすることができる。
【００２９】
尚、本実施の形態では、緩衝材８ａ、緩衝材８ｂは、表示部受け部４に両面テープ等により貼り付ける構成としているが、これに限定されるものではない。緩衝材８ａ、緩衝材８ｂが表示部２と外装ケースの収納部３との間に配置されていれば、緩衝材８ａ、緩衝材８ｂを表示部２側に両面テープ等により貼り付ける構成としてもよい。
【００３０】
以上詳細に説明したように、本実施の形態によれば以下の効果を奏する。表示部２における開閉機構取付側の端部とは反対側の開閉側端部を受ける収納部３の表示部受け部４が配設されている外装ケースの裏側に、基板接続コネクタ５ａ、５ｂに嵌合した基板６ａ、６ｂに防音部材７ａを接触させて配置する。また、表示部受け部４に、表示部２を受ける緩衝材８ａ、８ｂを配置する。本構成により、表示部２が外装ケースに直接当たる際に生じる音を軽減することが可能となる。これにより、表示部受け部４に配置した緩衝材８ａ、８ｂの緩衝機能と外装ケースの裏側に配置した防音部材７ａの防音機能を合わせて、収納時に発生する音をより小さくすることができる。
【００３１】
〔第３の実施の形態〕
本発明の第３の実施の形態は、上記第１の実施の形態に対して、図４で説明する点において相違する。本実施の形態のその他の要素は、上記第１の実施の形態（図１）の対応するものと同一なので説明を省略する。
【００３２】
図４は、本発明の第３の実施の形態に係る撮像装置としてのデジタルカメラの表示部を外装ケースの収納部に収納した状態における表示部受け部を含む部分の断面図である。
【００３３】
図４において、デジタルカメラは、表示部２、収納部３、表示部受け部４（図１参照）、基板接続コネクタ５ａ、基板接続コネクタ５ｂ、基板６ａ、基板６ｂ、防音兼緩衝材７ｂ、主基板１０を備えている。
【００３４】
撮影者により表示部２が外装ケースの収納部３に収納される際に表示部２を受ける表示部受け部４（図１参照）の裏側には、防音兼緩衝材７ｂが設けられている。防音兼緩衝材７ｂは、弾性材料から構成されており、上記第２の実施の形態で示した防音部材７ａと緩衝材８ａ、８ｂとを一体化した同一の部材として構成されている。防音兼緩衝材７ｂは、基板６ａ、基板６ｂに接触して配置された防音兼緩衝材本体部と、２ヶ所の凸形状の防音兼緩衝材緩衝部７ｃを有する。
【００３５】
表示部受け部４が配設されている外装ケースには、防音兼緩衝材７ｂの防音兼緩衝材緩衝部７ｃにそれぞれ対応して２つの穴部が形成されている。外装ケースの２つの穴部には、それぞれ防音兼緩衝材緩衝部７ｃが挿入され、防音兼緩衝材緩衝部７ｃが外装ケースの外部に露出している。これにより、表示部２を外装ケースの収納部３に収納する際に、上記第２の実施の形態よりもより少ない部品にて防音効果を実現することができる。
【００３６】
以上詳細に説明したように、本実施の形態によれば以下の効果を奏する。表示部２における開閉機構取付側の端部とは反対側の開閉側端部を受ける収納部３の表示部受け部４が配設されている外装ケースの裏側に、基板接続コネクタ５ａ、５ｂに嵌合した基板６ａ、６ｂに防音兼緩衝材７ｂを接触させて配置する。また、表示部受け部４に、表示部２を受ける防音兼緩衝材緩衝部７ｃを配置する。これにより、防音のための部材と、表示部２を受ける緩衝材とを同一部品とすることで、更に少ない部品にて防音効果を実現することができる。
【００３７】
〔第４の実施の形態〕
本発明の第４の実施の形態は、上記第１の実施の形態に対して、図５で説明する点において相違する。本実施の形態のその他の要素は、上記第１の実施の形態（図１）の対応するものと同一なので説明を省略する。
【００３８】
図５は、本発明の第４の実施の形態に係る撮像装置としてのデジタルカメラの断面図であり、（ａ）は、表示部を外装ケースの収納部に収納した状態における表示部受け部を含む部分の断面図、（ｂ）は、基板の周辺の詳細を示す断面図である。
【００３９】
図５において、デジタルカメラは、表示部２、収納部３、表示部受け部４（図１参照）、基板接続コネクタ５ａ、基板接続コネクタ５ｂ、基板６ａ、基板６ｂ、防音兼緩衝材７ｄ、板金部材９、主基板１０を備えている。
【００４０】
撮影者により表示部２が外装ケースの収納部３に収納される際に表示部２を受ける表示部受け部４（図１参照）の裏側には、防音兼緩衝材７ｄが設けられている。防音兼緩衝材７ｄは、弾性材料から構成されており、防音兼緩衝材緩衝部７ｃ、防音兼緩衝材凸形状部７ｅを有する。防音兼緩衝材緩衝部７ｃは、表示部２を受ける部分である。防音兼緩衝材凸形状部７ｅは、基板６ａ、基板６ｂに接触する部分である。
【００４１】
板金部材９は、基板６ａ、基板６ｂと防音兼緩衝材緩衝部７ｄとの間に設けられている。板金部材９は、カメラ本体部１の内部から発生する電磁波ノイズを吸収して不図示のルートを伝って主基板１０へ逃すと共に、カメラ本体部１の剛性の確保などの用途のために設けられた部材である。防音兼緩衝材７ｄは、外装ケースの収納部３と板金部材９との間に挟み込まれて保持されている。これにより、防音兼緩衝材７ｄは両面テープ等により固定することが不要となっている。
【００４２】
板金部材９における基板接続コネクタ５ａ、５ｂの真上に位置する箇所には、穴部が形成されている。また、板金部材９の前記穴部には、防音兼緩衝材７ｄの防音兼緩衝材凸形状部７ｅが挿入されている。そのため、本実施の形態のように防音兼緩衝材７ｄが外装ケースの収納部３と板金部材９との間に挟み込まれている構造においても、弾性材料である防音兼緩衝材凸形状部７ｅにて基板６ａ、６ｂと接触させることができる。これにより、基板接続コネクタ５ａ、５ｂからの基板６ａ、６ｂの抜け防止を実現しながら、防音効果をも実現することができる。
【００４３】
尚、本実施の形態では、表示部２が外装ケースの収納部３に収納される際に表示部２を受ける表示部受け部４が配設されている外装ケースの裏側に、防音兼緩衝材７ｄを設けているが、図２、図３に示したような防音部材７ａを設けてもよい。即ち、図２、図３に示した構成に板金部材を設け、防音部材７ａを外装ケースの収納部３と板金部材との間に挟み込んで保持する構成としてもよい。
【００４４】
以上詳細に説明したように、本実施の形態によれば以下の効果を奏する。表示部２における開閉機構取付側の端部とは反対側の開閉側端部を受ける収納部３の表示部受け部４が配設されている外装ケースの裏側に、基板接続コネクタ５ａ、５ｂに嵌合した基板６ａ、６ｂに防音兼緩衝材７ｄを接触させて配置する。また、表示部受け部４に、表示部２を受ける防音兼緩衝材緩衝部７ｃ、７ｃを配置する。更に、防音兼緩衝材７ｄを、外装ケースの収納部３と電磁波ノイズ吸収用／剛性確保用の板金部材９との間に挟み込んで保持する。これにより、防音部材を両面テープ等で外装ケースまたは基板に貼り付ける必要がなく、更に少ない部品にて防音効果を実現することができる。
【００４５】
〔他の実施の形態〕
上記実施の形態では、本発明の電子機器における開閉部材の収納に関わる構成をデジタルカメラの表示部の収納に関わる構成に適用した場合を例に挙げたが、これに限定されるものではない。ビデオカメラ等の他の電子機器にも適用することができる。
【００４６】
上記実施の形態では、防音部材７ａもしくは防音兼緩衝材７ｂもしくは防音兼緩衝材７ｄと基板６ａ、６ｂとを接触させることで基板６ａ、６ｂの抜け防止としているが、抜け防止の効果がより必要な際には次のような構成としてもよい。即ち、防音部材７ａ、防音兼緩衝材７ｂ、防音兼緩衝材７ｄは弾性材料から構成しているため、適度に潰して使用してもよい。
【００４７】
上記実施の形態では、外装ケース受け部４ｂ、緩衝材８ｂの裏側には基板接続コネクタを配置していないが、外装ケース受け部４ｂ、緩衝材８ｂの裏側にも基板接続コネクタを配置する構成としてもよい。また、防音効果がある範囲であれば、複数の基板接続コネクタを配置せずに１つの基板接続コネクタを配置してもよい。
【符号の説明】
【００４８】
４  表示部受け部
４ａ、４ｂ  外装ケース受け部
７ａ  防音部材
７ｂ、７ｄ  防音兼緩衝材
７ｃ  防音兼緩衝材緩衝部
７ｅ  防音兼緩衝材凸形状部
８ａ、８ｂ  緩衝材
９  板金部材
【図１】
2011039099.tif 000003
【図２】
2011039099.tif 000004
【図３】
2011039099.tif 000005
【図４】
2011039099.tif 000006
【図５】
2011039099.tif 000007